(57)【要約】【課題】自動的にアーム部材がフックに係合してしまうことを防止できるドアガードおよびドアガード装置を提供すること。【解決手段】ドアガード２は、台座３０と、アーム部材２０と、回動規制装置４とを備える。台座３０は、扉１００の戸先側の屋内面１０１に取り付けられる。アーム部材２０は、台座３０に対して、ドアガード受具５に接近する第１方向およびドアガード受具５から離れる第２方向にスライド移動可能に支持され、第２方向側の基端部２２が屋内面１０１に接近する接近方向および屋内面１０１から離れる離間方向に回動可能である。回動規制装置４は、アーム部材２０が第２方向にスライド移動されて回動許容位置にある場合には、アーム部材２０の回動を許容し、アーム部材２０が回動許容位置よりも第１方向にスライド移動されて回動規制位置にある場合には、アーム部材２０の離間方向への回動を規制する。【選択図】図１
2018059365.tif 000002
【特許請求の範囲】
【請求項１】
ドア枠に取り付けられたドアガード受具のフックボルトに係合して扉の開放を一定角度に規制するドアガードであって、
前記扉の戸先側の屋内面に取り付けられる台座と、
前記台座に回動可能かつスライド移動可能に支持されるアーム部材と、
前記アーム部材の回動を規制する回動規制装置とを備え、
前記アーム部材は、前記台座に対して、前記ドアガード受具に接近する第１方向および前記ドアガード受具から離れる第２方向にスライド移動可能に支持され、前記第２方向側のアーム端部が前記屋内面に接近する接近方向および前記屋内面から離れる離間方向に回動可能に支持され、
前記回動規制装置は、
前記アーム部材が前記第２方向にスライド移動されて回動許容位置にある場合には、前記アーム部材の回動を許容し、
前記アーム部材が前記回動許容位置よりも前記第１方向にスライド移動されて回動規制位置にある場合には、前記アーム部材の前記離間方向への回動を規制する
ことを特徴とするドアガード。
【請求項２】
請求項１に記載のドアガードにおいて、
前記回動規制装置は、
前記台座から突設された突起と、
前記アーム部材に設けられた規制面とを備えて構成され、
前記突起は、前記アーム部材が前記回動許容位置にある場合に、前記アーム部材の回動軌跡から外れた位置であり、かつ、前記アーム部材が前記回動規制位置にある場合に、前記アーム部材の前記規制面に当接する位置に形成されている
ことを特徴とするドアガード。
【請求項３】
請求項１に記載のドアガードにおいて、
前記回動規制装置は、
前記アーム部材から突設された突起と、
前記台座に設けられた案内溝および規制面とを備えて構成され、
前記案内溝は、前記アーム部材が前記回動許容位置にある場合に、前記アーム部材の前記突起の回動軌跡に沿って形成され、
前記規制面は、前記アーム部材が前記回動規制位置にある場合に、前記アーム部材の前記突起が当接する位置に形成されている
ことを特徴とするドアガード。
【請求項４】
請求項１から請求項３のいずれか一項に記載のドアガードにおいて、
前記アーム部材の前記第１方向側の端部には、前記ドア枠に取り付けられた戸当り材に当接した際に、前記アーム部材を前記第２方向側にスライド移動させる傾斜面が形成されている
ことを特徴とするドアガード。
【請求項５】
請求項１から請求項４のいずれか一項に記載のドアガードにおいて、
前記台座は、前記アーム部材を挟んで配置される一対の支持壁部を備えて構成され、
前記アーム部材のドアガード受具側の端部が、前記支持壁部の前記ドア枠に対向する側面よりも第１方向側に位置する場合、前記アーム部材は前記回動規制位置にある
ことを特徴とするドアガード。
【請求項６】
請求項１から請求項５のいずれか一項に記載のドアガードと、
ドア枠の前記ドアガードに対向する位置に取り付けられたドアガード受具とを備え、
前記ドアガード受具は、前記ドアガードに向かって出没可能なフックボルトを備え、
前記ドアガードの前記アーム部材は、前記フックボルトが係合可能な係合溝を備える
ことを特徴とするドアガード装置。
【発明の詳細な説明】
【技術分野】
【０００１】
本発明は、ドアの開閉を規制するドアガードおよびドアガード装置に関する。
【背景技術】
【０００２】
従来、ドア側に回動可能なアーム部材を設け、ドア枠側に受け具を設けたドアガード装置が知られている（特許文献１参照）。このドアガード装置は、アーム部材に設けられた係合溝部と、受け具から突出させたフックボルトとを係合させることで、ドアを少しだけ開けた状態で固定できるものである。また、特許文献１のドアガード装置では、ドアを閉めた状態で、アーム部材を、受け具側にスライドさせて受け具に係合させることで、ドアを開くことができないようにロックする機構も設けられている。
【先行技術文献】
【特許文献】
【０００３】
【特許文献１】特開２０１０−１９６３４８号公報
【発明の概要】
【発明が解決しようとする課題】
【０００４】
このような従来のドアガード装置では、アーム部材が回動可能かつスライド可能であるため、特定の条件が重なった場合に、ドアを閉めた際にアーム部材の係合溝部にフックボルトが係合してしまい、屋外側にいる利用者が閉め出されてしまうという不具合が発生するおそれがあった。
前記特定の条件とは、図９で説明すると、アーム部材８２０および台座８３０が扉１００の戸先側に寄せて取り付けられ（条件１）、アーム部材８２０が回動可能な状態で受け具８６０側に飛び出しており（条件２）、受け具８６０のフックボルト８５０が飛び出している（条件３）場合である。この状態で、扉１００を閉めると、図９（Ａ）に示すように、アーム部材８２０がドア枠２００の戸当り材２１０に当たる。さらに、扉１００を閉めると、図９（Ｂ）に示すように、戸当り材２１０に押されてアーム部材８２０が回動する。すると、図９（Ｃ）に示すように、アーム部材８２０の係合溝にフックボルト８５０が自動的に係合してしまう。
以上のとおり、扉１００を閉めると、自動的にアーム部材８２０が回動してフックボルト８５０に係合してしまう。このため、屋外に出た状態で扉１００を閉めると、屋外側から扉１００を開くことができず、利用者が屋外に閉め出されてしまう。
【０００５】
本発明の目的は、扉を閉めた際に、自動的にアーム部材がフックボルトに係合してしまうことを防止できるドアガードおよびドアガード装置を提供することにある。
【課題を解決するための手段】
【０００６】
本発明は、ドア枠に取り付けられたドアガード受具のフックボルトに係合して扉の開放を一定角度に規制するドアガードであって、前記扉の戸先側の屋内面に取り付けられる台座と、前記台座に回動可能かつスライド移動可能に支持されるアーム部材と、前記アーム部材の回動を規制する回動規制装置とを備え、前記アーム部材は、前記台座に対して、前記ドアガード受具に接近する第１方向および前記ドアガード受具から離れる第２方向にスライド移動可能に支持され、前記第２方向側のアーム端部が前記屋内面に接近する接近方向および前記屋内面から離れる離間方向に回動可能に支持され、前記回動規制装置は、前記アーム部材が前記第２方向にスライド移動されて回動許容位置にある場合には、前記アーム部材の回動を許容し、前記アーム部材が前記回動許容位置よりも前記第１方向にスライド移動されて回動規制位置にある場合には、前記アーム部材の前記離間方向への回動を規制することを特徴とする。
【０００７】
本発明のドアガードによれば、アーム部材が回動規制位置にある場合は、アーム部材のアーム端部が扉の屋内面から離れる離間方向に回動することを規制し、回動許容位置にある場合はアーム部材の回動を許容する回動規制装置を備える。このため、扉を閉めた際にアーム部材がドア枠の戸当り材に当接する位置を、回動規制位置に設定できる。したがって、アーム部材は、戸当り材に当接しても前記離間方向への回動が規制され、フックボルトが突出した状態で扉を閉めた場合に、アーム部材が離間方向に回動してフックボルトに自動的に係合してしまうことを防止できる。よって、利用者が屋外に閉め出されることも防止できる。
【０００８】
本発明のドアガードにおいて、前記回動規制装置は、前記台座から突設された突起と、前記アーム部材に設けられた規制面とを備えて構成され、前記突起は、前記アーム部材が前記回動許容位置にある場合に、前記アーム部材の回動軌跡から外れた位置であり、かつ、前記アーム部材が前記回動規制位置にある場合に、前記アーム部材の前記規制面に当接する位置に形成されていることが好ましい。
【０００９】
本発明によれば、アーム部材に設けた規制面と、台座に設けた突起とで回動規制装置を構成できるので、回動規制装置を簡単な構造で容易に構成できる。
【００１０】
本発明のドアガードにおいて、前記回動規制装置は、前記アーム部材から突設された突起と、前記台座に設けられた案内溝および規制面とを備えて構成され、前記案内溝は、前記アーム部材が前記回動許容位置にある場合に、前記アーム部材の前記突起の回動軌跡に沿って形成され、前記規制面は、前記アーム部材が前記回動規制位置にある場合に、前記アーム部材の前記突起が当接する位置に形成されていることが好ましい。
【００１１】
本発明によれば、アーム部材に設けた突起と、台座に設けた案内溝および規制面とで回動規制装置を構成できるので、回動規制装置を簡単な構造で容易に構成できる。
【００１２】
本発明のドアガードにおいて、前記アーム部材の前記第１方向側の端部には、前記ドア枠に取り付けられた戸当り材に当接した際に、前記アーム部材を前記第２方向側にスライド移動させる傾斜面が形成されていることが好ましい。
【００１３】
本発明によれば、扉を閉めた際に、戸当り材に当接したアーム部材は、傾斜面の機能によって、第２方向側（扉の戸尻側）に移動するため、アーム部材が戸当り材に干渉して扉を閉めることができないという不具合が発生することを防止できる。
【００１４】
本発明のドアガードにおいて、前記台座は、前記アーム部材を挟んで配置される一対の支持壁部を備えて構成され、前記アーム部材のドアガード受具側の端部が、前記支持壁部の前記ドア枠に対向する側面よりも第１方向側に位置する場合、前記アーム部材は前記回動規制位置にあることが好ましい。
【００１５】
本発明によれば、アーム部材のドアガード受具側の端部（先端）が支持壁部よりも突出されている場合は、アーム部材は回動規制位置にあるため、アーム部材に戸当り材が当接してもアーム部材が回動することがない。すなわち、アーム部材が回動許容位置にある場合は、アーム部材の先端が支持壁部から突出しない位置にあるため、戸当り材は支持壁部に当接してもアーム部材に当接せず、アーム部材が戸当り材で押されて回転することを防止できる。
【００１６】
本発明のドアガード装置は、前記ドアガードと、ドア枠の前記ドアガードに対向する位置に取り付けられたドアガード受具とを備え、前記ドアガード受具は、前記ドアガードに向かって出没可能なフックボルトを備え、前記ドアガードの前記アーム部材は、前記フックボルトが係合可能な係合溝を備えることを特徴とする。
【００１７】
本発明のドアガード装置によれば、アーム部材が回動規制位置にある場合は、アーム部材のアーム端部が離間方向に回動することを規制し、回動許容位置にある場合はアーム部材の回動を許容する回動規制装置を備える。このため、アーム部材が第１方向にスライド移動されて回動規制位置にある状態で扉を閉めたために、アーム部材がドア枠の戸当り材に当接しても、アーム部材が回動することがない。よって、フックボルトが突出した状態で、扉を閉めた場合に、アーム部材が回動してフックボルトに自動的に係合してしまうことを確実に防止できる。
【発明の効果】
【００１８】
本発明のドアガードおよびドアガード装置によれば、扉を閉めた際に、自動的にアーム部材がフックボルトに係合してしまうことを防止できる。
【図面の簡単な説明】
【００１９】
【図１】本発明の第１実施形態のドアガード装置を示す斜視図。
【図２】第１実施形態のドアガード装置を示す斜視図。
【図３】第１実施形態のドアガード装置を示す斜視図。
【図４】第１実施形態のドアガード装置のドアガード機能を説明する概略図。
【図５】第１実施形態のドアガード装置のロック機能を説明する概略図。
【図６】第１実施形態のドアガード装置の回動規制機能を説明する概略図。
【図７】本発明の第２実施形態のドアガード装置を示す斜視図。
【図８】第２実施形態のドアガード装置を示す斜視図。
【図９】本発明の背景技術を説明する概略図。
【発明を実施するための形態】
【００２０】
［第１実施形態］
以下、本発明の第１実施形態を図面に基づいて説明する。
図１，２に示すように、本実施形態のドアガード装置１は、ドアの扉１００側に設けられたドアガード２と、ドア枠２００側に設けられたドアガード受具５とを備えている。なお、ドア枠２００には、図４に示すように、扉１００を閉めた際に、扉１００に当接する戸当り材２１０が装着されている。
【００２１】
［ドアガード］
ドアガード２は、アーム部材２０と、台座３０とを備えている。アーム部材２０は、台座３０に軸支され、台座３０に対して回動可能にかつスライド移動可能に取り付けられている。
ここで、図１に矢印で示すように、台座３０に対するアーム部材２０の回動方向のうち、アーム部材２０のアーム端部（基端部２２）が、扉１００の屋内面１０１に接近するＡ方向を接近方向とし、屋内面１０１から離れるＢ方向を離間方向とする。また、台座３０に対するアーム部材２０のスライド移動方向のうち、戸先側に向かうＣ方向（ドアガード受具５に接近する方向）を第１方向とし、戸尻側に向かうＤ方向（ドアガード受具５から離れる方向）を第２方向とする。
【００２２】
［アーム部材］
アーム部材２０は、アルミニウム合金や鉄などの金属製である。アーム部材２０は、一対の側面部２１と、側面部２１の一端側（基端側）を連結する円弧状の基端部２２とを備え、略Ｕ字形状に形成されている。基端部２２は、アーム部材２０の第２方向（Ｄ方向）側の端部に設けられるため、本実施形態では、基端部２２によってアーム端部が構成される。
なお、以下の説明においては、アーム部材２０において、図１の状態で、屋内側に面する面を表面、屋外側つまり扉１００の屋内面１０１に対向する面を裏面という。
各側面部２１の他端側（先端側）において、台座３０側に近接する部分同士は連結板部２３で連結されている。
【００２３】
各側面部２１間には、側面部２１の先端側が開口される係合溝２５が形成されている。係合溝２５は、開口端部側に形成された溝幅が広い開口部２５Ａと、開口部２５Ａから連続して形成されて溝幅が徐々に狭くなる案内部２５Ｂと、案内部２５Ｂから連続して基端部２２まで形成された誘導部２５Ｃとを備える。誘導部２５Ｃの基端側近傍には、嵌合凹部２５Ｄが形成されている。
各側面部２１の先端部近傍には、スライド溝２６が形成されている。スライド溝２６は、第１方向（Ｃ方向）および第２方向（Ｄ方向）に沿って設けられた長穴形状の溝である。
【００２４】
側面部２１の先端側には、一対の係合突部２７が形成されている。係合突部２７は、図５にも示すように、傾斜面２７１と、規制面２７２とを備える。
傾斜面２７１は、側面部２１の表面から連続して形成され、係合突部２７の先端に向かうにしたがって規制面２７２に近づくように傾斜されている。
規制面２７２は、傾斜面２７１の先端に連続して形成され、スライド溝２６の長手方向に沿った平面とされている。規制面２７２は、後述する台座３０の突起３７に当接可能に形成されている。規制面２７２の基端側は、アーム部材２０の先端側端面２８に連続している。
【００２５】
［台座］
台座３０は、アルミニウム合金や鉄などの金属製であり、図１に示すように、扉１００の屋内面１０１の戸先側端部近傍に取り付けられたベース部材３１と、ベース部材３１から立設された一対の支持壁部３２とを備えている。
台座３０は、ベース部材３１から扉１００にねじ込まれた複数のネジ３１１で、扉１００の屋内面１０１に固定されている。ベース部材３１には、互いに平行な長穴３１２が３箇所に形成され、ネジ３１１は長穴３１２を介して扉１００にねじ込まれている。台座３０は、長穴３１２の範囲で、戸先側に向かう方向（前記第１方向）および戸尻側に向かう方向（前記第２方向）の取付位置を調整可能に固定されている。
ベース部材３１には、支持壁部３２の対向面に沿った位置に、凹部３１５が形成されている。凹部３１５には、アーム部材２０を離間方向（Ｂ方向）に回動した際に、係合突部２７が収容される。これにより、アーム部材２０は、係合突部２７がベース部材３１に干渉することなく回動できる。
【００２６】
一対の支持壁部３２には、貫通穴３２１が形成され、アーム部材２０を回動自在に軸支するための軸部材３３が設けられている。
軸部材３３は、略円筒状に形成され、スライド溝２６の溝幅よりも直径が大きなフランジ３４１を有する軸ピン３４と、軸ピン３４内に圧入されるスタッド３５とを備える。
軸ピン３４は、側面部２１の内面側（開口部２５Ａ側）からスライド溝２６に挿入され、スライド溝２６の開口部２５Ａ側にフランジ３４１が配置されている。
スタッド３５は、支持壁部３２の外側から貫通穴３２１に挿入され、さらに軸ピン３４内に圧入されている。
これにより、支持壁部３２の貫通穴３２１に軸部材３３が固定され、軸部材３３がスライド溝２６内に挿通される。したがって、アーム部材２０は、台座３０に対して、スライド溝２６に沿ってスライド移動可能に、かつ、軸部材３３を回転軸とし、基端部２２を自由端として回動自在に取り付けられている。
【００２７】
一対の支持壁部３２の互いに対向する各内面には、突起３７が突設されている。突起３７は、支持壁部３２の戸先側の端部近傍に形成され、アーム部材２０の係合突部２７に当接してアーム部材２０の離間方向（矢印Ｂ方向）への回動を規制可能とされている。
すなわち、アーム部材２０が第２方向（矢印Ｄ方向）にスライド移動された場合、係合突部２７は突起３７よりも第２方向側に外れている。このため、アーム部材２０の基端部２２を離間方向（矢印Ｂ方向）に回動すると、係合突部２７の回動軌跡上に突起３７が存在しないため、図２に示すように、アーム部材２０の回動も許容される。すなわち、アーム部材２０が第２方向にスライドされて、係合突部２７が突起３７よりも第２方向側にある位置が、アーム部材２０の回動許容位置である。
なお、アーム部材２０が回動許容位置にある場合、係合突部２７が突起３７よりも第２方向側に位置するため、係合突部２７は支持壁部３２の戸先側の側面３２２よりも内側（第２方向側）に位置し、支持壁部３２から戸先側に突出していない状態となる。
【００２８】
一方、アーム部材２０が第１方向にスライド移動されると、係合突部２７の規制面２７２は突起３７に対向することになる。このため、アーム部材２０の基端部２２を離間方向に回動しようとしても、係合突部２７の回動軌跡上に突起３７が存在し、規制面２７２が突起３７に当接するため、アーム部材２０の回動は規制される。すなわち、アーム部材２０が第１方向にスライドされて、係合突部２７の規制面２７２が突起３７に対向する位置が、アーム部材２０の回動規制位置である。
【００２９】
したがって、本実施形態では、アーム部材２０の係合突部２７の規制面２７２と、突起３７とで、回動規制装置４が構成されている。
【００３０】
［ドアガード受具］
ドアガード受具５は、図１〜３に示すように、フックボルト５０と、フックベース６０とを備えて構成されている。
［フックボルト］
フックボルト５０は、アルミニウム合金や鉄などの金属製であり、図３に示すように、ボルト本体５１と、ボルト本体５１の先端側に形成されたヘッド部５２とを備える。フックボルト５０は、フックベース６０にスライド可能に収納され、図示しない圧縮ばね等の付勢部材によってアーム部材２０側に付勢されている。また、フックベース６０には、ロック解除ボタン６５が設けられている。ロック解除ボタン６５は、通常は、ボルト本体５１に係合し、利用者がボタンを押すと、ボルト本体５１との係合を解除するように構成されている。このため、通常は、アーム部材２０側に突出することが規制されたフックボルト５０は、ロック解除ボタン６５を操作することで、前記規制が解除されて付勢部材の付勢力によってアーム部材２０側に突出する。
【００３１】
本実施形態のボルト本体５１は、収納位置と、固定位置と、スライド可能位置との３段階に突出可能に形成されている。収納位置は、ヘッド部５２がフックベース６０の表面とほぼ面一に位置する位置である。スライド可能位置は、ヘッド部５２がアーム部材２０側に最も突出して係合溝２５内をスライド移動可能な位置である。固定位置は、ヘッド部５２が収納位置およびスライド可能位置の中間に位置する位置である。
なお、フックボルト５０をアーム部材２０側に突出させる場合は、前述の通り、ロック解除ボタン６５を操作する。一方、フックボルト５０をフックベース６０側に戻す場合は、ヘッド部５２を収納部６２側に押し込めばよい。これにより、フックボルト５０を前記３つの位置に順次移動させることができる。
【００３２】
［フックベース］
フックベース６０は、アルミニウム合金や鉄などの金属製であり、図３に示すように、ドア枠２００に固定されるベース部材６１と、前記ボルト本体５１やロック解除ボタン６５を収納する収納部６２とを備えている。
ベース部材６１には、上下方向に沿った長穴６１１が形成されている。ベース部材６１は、長穴６１１を介してネジ６３をドア枠２００にねじ込むことで、上下方向の高さ位置を調整可能にドア枠２００に取り付けられている。
【００３３】
［ドアガード機能］
次に、図４を用いて、ドアガード装置１によるドアガード機能について説明する。ドアガード機能は、扉１００の開放角度を一定角度以内に規制し、通風・換気を行ったり、来訪者を確認できる機能である。
【００３４】
始めに、フックボルト５０が収納位置にある状態において、ロック解除ボタン６５を押してフックボルト５０をスライド可能位置まで移動させる。
次に、図４（Ａ）に示すように、アーム部材２０を離間方向（矢印Ｂ方向）に回動させて、アーム部材２０を扉１００の屋内面１０１に対して約９０度の角度となるように、立てた状態にする。この際、フックボルト５０のヘッド部５２は、アーム部材２０の係合溝２５の開口部２５Ａに挿入された状態となる。
【００３５】
次に、ヘッド部５２が開口部２５Ａに挿入された状態のまま、扉１００を開くと、図４（Ｂ）に示すように、ヘッド部５２は開口部２５Ａから案内部２５Ｂを介して誘導部２５Ｃ内をスライドする。このまま扉１００を開くと、ヘッド部５２は誘導部２５Ｃの基端部２２側の端部、つまり嵌合凹部２５Ｄの位置まで移動する。
この状態で、ヘッド部５２をフックベース６０側に押し込むと、ヘッド部５２は固定位置に移動して嵌合凹部２５Ｄに嵌合する。したがって、アーム部材２０は、フックボルト５０のヘッド部５２とフックベース６０とで挟まれた状態で固定される。このため、扉１００が風などで揺れても、ヘッド部５２と嵌合凹部２５Ｄとの嵌合状態は維持され、扉１００が風で閉まってしまうことはない。
【００３６】
この固定状態を解除するには、ロック解除ボタン６５を押してフックボルト５０をスライド可能位置に突出させる。これにより、ヘッド部５２は、嵌合凹部２５Ｄから外れ、フックボルト５０が係合溝２５に沿って移動できるようになり、そのまま扉１００を閉めることができる。
また、図４（Ａ）に示すように、扉１００を閉めてフックボルト５０が開口部２５Ａに位置する状態で、アーム部材２０を接近方向（矢印Ａ方向）に回動し、フックボルト５０をフックベース６０側に押し込んで収納位置に戻せば、ドアガード機能が解除され、扉１００を全開状態にすることができる。
【００３７】
［ロック機能］
次に、図５を用いて、ドアガード装置１によるロック機能について説明する。ロック機能は、アーム部材２０をかんぬきとして機能させて、扉１００の開放をロックし、通常の錠に加えて扉１００をロックすることで防犯機能を向上させることができる機能である。
【００３８】
アーム部材２０が接近方向に回動された状態であり、かつ、フックボルト５０が収納位置に収納された状態で、アーム部材２０をドアガード受具５側、つまり第１方向（矢印Ｃ方向）にスライドさせる。アーム部材２０は、第１方向に押されると、スライド溝２６が軸部材３３に対してスライドし、係合突部２７がドアガード受具５側に移動する。
【００３９】
係合突部２７がドアガード受具５のベース部材６１に達し、アーム部材２０の先端側端面２８がベース部材６１の端面に当接すると、アーム部材２０はそれ以上、第１方向にスライドすることができない。この状態では、係合突部２７の規制面２７２がベース部材６１の屋内面に当接し、扉１００を開放できないロック状態となる。
【００４０】
このロック状態を解消するには、アーム部材２０を第２方向（矢印Ｄ方向）にスライド移動させ、係合突部２７をベース部材６１から離れた位置に戻すだけで良い。
このように、アーム部材２０のスライド移動のみで、ロック状態およびロック解除状態を容易に切り替えることができる。
【００４１】
［アーム部材の回動規制機能］
次に、図６を用いて、ドアガード２の回動規制装置４によって、アーム部材２０の回動を規制する機能について説明する。アーム部材２０の回動規制機能とは、扉１００を閉めた際に、アーム部材２０と戸当り材２１０とが当接して、アーム部材２０が自動的に回動してしまうことを防止する機能である。
【００４２】
扉１００を開いている場合に、アーム部材２０の係合突部２７が台座３０の側面３２２よりも戸先側に突出しており、フックボルト５０がスライド移動位置に突出している状態で扉１００を閉めると、図６（Ａ）に示すように、係合突部２７が戸当り材２１０に当接する。このため、アーム部材２０の係合突部２７は、扉１００側に押される。
アーム部材２０の係合突部２７が扉１００側に押されると、図６（Ｂ）に示すように、規制面２７２が突起３７に当接し、アーム部材２０の回動が規制される。
アーム部材２０は、回動が規制された状態で戸当り材２１０に当接すると、第２方向（矢印Ｄ方向）側のスライド移動は許容されているので、第２方向に移動する。そして、アーム部材２０の係合突部２７が台座３０の支持壁部３２の側面３２２と一致する位置まで移動すると、戸当り材２１０は支持壁部３２に当接し、アーム部材２０を押すことがなくなる。このため、図６（Ｃ）に示すように、アーム部材２０の回動が規制された状態で、扉１００を閉めることができる。なお、フックボルト５０は、スライド可能位置に突出されていても、開口部２５Ａに配置されるため、扉１００を閉めた際にアーム部材２０に干渉することはない。
以上のように、回動規制装置４によって、アーム部材２０が戸当り材２１０に押されて回動することを防止できるため、扉１００を閉めた際に、フックボルト５０が係合溝２５に係合されて自動的にドアガード状態になることを防止できる。
【００４３】
［第１実施形態の効果］
本実施形態によれば、規制面２７２および突起３７からなる回動規制装置４を設けたので、戸当り材２１０に当接することによるアーム部材２０の回動を確実に規制できる。すなわち、アーム部材２０の係合突部２７が台座３０から突出した状態で扉１００を閉め、戸当り材２１０でアーム部材２０が押されても、規制面２７２が突起３７に当接してアーム部材２０の回動を規制できる。したがって、扉１００を閉めた際に、アーム部材２０の回動によって自動的にドアガード状態になることを防止でき、利用者が閉め出されることも防止できる。
【００４４】
係合突部２７に傾斜面２７１を形成したので、扉１００を閉じた際に、係合突部２７が戸当り材２１０に当接して係合突部２７が回動規制状態になった場合に、アーム部材２０を第２方向側に移動させることができる。このため、アーム部材２０が戸当り材２１０に干渉して、扉１００を閉めることができないという不具合の発生を防止できる。
また、係合突部２７に傾斜面２７１を形成したので、係合突部２７が突起３７に干渉することなく、アーム部材２０を回動することができる。すなわち、係合突部２７に傾斜面が形成されていない場合、規制面２７２を突起３７から外してアーム部材２０を回動した場合に、係合突部２７の表面側が突起３７に干渉する可能性がある。このため、アーム部材２０を第２方向に大きく移動してから回動する必要がある。
これに対し、本実施形態では、規制面２７２が突起３７から外れる位置までアーム部材２０を移動すれば、アーム部材２０を回動できるため、アーム部材２０の回動操作性を向上できる。
【００４５】
回動規制装置４を構成する規制面２７２は、ベース部材６１に係合するロック機構と兼用されているので、アーム部材２０の構成を簡素化でき、安価に製造できる。また、台座３０には突起３７を設ければよいため、台座３０も安価に製造できる。
【００４６】
［第２実施形態］
次に、図７，８を用いて、第２実施形態のドアガード装置１Ａについて説明する。ドアガード装置１Ａは、ドアガード２Ａが第１実施形態と相違し、ドアガード受具５は第１実施形態と同じものである。
ドアガード２Ａは、アーム部材２０Ａと、台座３０Ａとを備える。
アーム部材２０Ａは、係合突部２７の外側面に突起２９が形成されている点を除き、前記第１実施形態のアーム部材２０と同じ構成である。
【００４７】
台座３０Ａの各支持壁部３２には、円弧状の案内溝３８と、前記突起２９に当接して回動を規制可能な規制面３９とが形成されている。アーム部材２０Ａを第２方向にスライド移動すると、突起２９は案内溝３８の壁に当接する。この位置がアーム部材２０Ａの回動許容位置である。そして、案内溝３８は、アーム部材２０Ａの突起２９の回動軌跡に沿って形成されている。
規制面３９は、案内溝３８の開口から第１方向側に連続して形成されている。アーム部材２０Ａの突起２９が規制面３９に当接する位置が、アーム部材２０Ａの回動規制位置である。
また、第２実施形態では、アーム部材２０Ａが第１方向に移動され、突起２９が規制面３９よりも第１方向側に位置する場合は、軸部材３３から連結板部２３の先端側端部までの距離が長くなるため、アーム部材２０Ａを回動しようとしても、連結板部２３がベース部材３１に当接し、アーム部材２０Ａを回動することができない。このため、突起２９が規制面３９よりも第１方向側に位置する位置も、アーム部材２０Ａの回動規制位置である。
したがって、ドアガード２Ａにおいては、アーム部材２０Ａの突起２９と、台座３０Ａの案内溝３８および規制面３９と、アーム部材２０Ａの連結板部２３および台座３０Ａのベース部材３１とで、回動規制装置４Ａが構成されている。
【００４８】
ドアガード２Ａにおいても、ドアガード機能やロック機能は第１実施形態のドアガード２と同じである。
また、ドアガード２Ａの回動規制装置４Ａによって、アーム部材２０Ａの回動を規制する機能も第１実施形態と同様である。すなわち、扉１００を開いている場合に、アーム部材２０Ａの突起２９が規制面３９よりも第１方向側に位置する状態であれば、連結板部２３がベース部材３１に当接することで、アーム部材２０Ａの回動は規制されている。
また、アーム部材２０Ａの突起２９が規制面３９に対向する位置にあれば、突起２９が規制面３９に当接することで、アーム部材２０Ａの回動は規制されている。
したがって、いずれの場合も、扉１００を閉めて戸当り材２１０がアーム部材２０に当接して係合突部２７を扉１００側に押しても、アーム部材２０Ａの回動は規制される。
このため、アーム部材２０Ａは、戸当り材２１０に当接しても、連結板部２３がベース部材３１に当接したり、突起２９が規制面３９に当接するため、アーム部材２０Ａの回動が規制された状態となる。また、突起２９が規制面３９に当接している状態で、アーム部材２０Ａが戸当り材２１０に当接して押されると、アーム部材２０Ａは第２方向（矢印Ｄ方向）側にスライド移動する。そして、アーム部材２０Ａの係合突部２７の先端が、台座３０の支持壁部３２の側面３２２と一致する位置まで移動すると、戸当り材２１０は支持壁部３２に当接し、アーム部材２０を押すことがなくなる。このため、アーム部材２０Ａは、突起２９が規制面３９に当接して回動が規制された状態や、連結板部２３がベース部材３１に当接して回動が規制された状態で、扉１００を閉めることができる。
以上のように、回動規制装置４Ａによって、アーム部材２０Ａが戸当り材２１０に押されて回動することを防止できるため、扉１００を閉めた際に、フックボルト５０が係合溝２５に係合されて自動的にドアガード状態になることを防止できる。
【００４９】
アーム部材２０Ａを第２方向にスライド移動させ、突起２９を規制面３９に当接する位置から案内溝３８内に位置する回動許可位置まで移動すれば、図８に示すように、アーム部材２０Ａを離間方向に回動させることができる。
【００５０】
このような第２実施形態においても、前記第１実施形態と同じ作用効果を奏することができる。
また、台座３０Ａ側に突起が形成されていないため、アーム部材２０Ａを回動した際に、係合突部２７の傾斜面２７１が台座３０Ａ側に干渉することがない。このため、傾斜面２７１の形状を自由に設計できる。
なお、第２実施形態では、突起２９が規制面３９よりも第１方向側に位置する状態で、戸当り材２１０に当接した場合に、突起２９が支持壁部３２の側面３２２に当接して回動を規制するように設定することもできる。この場合、回動規制装置４Ａは、アーム部材２０Ａの突起２９と、台座３０Ａの案内溝３８および規制面３９と、支持壁部３２の側面３２２とで構成される。
また、第２実施形態では、突起２９や規制面３９の形成位置や寸法等を調整することで、アーム部材２０が第１方向（矢印Ｃ方向）にスライド移動してロック状態となった場合も、規制面３９に突起２９が当接可能に設定することもできる。この場合、回動規制装置４Ａは、アーム部材２０Ａの突起２９と、台座３０Ａの案内溝３８および規制面３９とで構成される。
【００５１】
［変形例］
なお、本発明は以上の実施形態で説明した構成のものに限定されず、本発明の目的を達成できる範囲での変形例は、本発明に含まれる。
回動規制装置としては、前記各実施形態の構成に限定されず、アーム部材が回動規制位置にある場合はアーム部材の回動を規制し、回動許容位置にある場合はアーム部材の回動を許容できる構成であればよい。例えば、台座の支持壁部には、戸尻側に開口して第１方向側に延長された長溝を形成し、アーム部材の側面部２１には、アーム部材が回動許容位置にある場合には前記長溝から外れ、回動規制位置にある場合には前記長溝に挿入される突起を形成し、前記長溝および突起で回動規制装置を構成してもよい。
【００５２】
また、前記各実施形態では、係合突部２７に傾斜面２７１を形成し、戸当り材２１０に当接した際に、アーム部材２０、２０Ａを第２方向側にスライドさせるように構成していたが、傾斜面２７１を設けなくも良い。この場合、戸当り材２１０側に、アーム部材をスライド移動させることができるような傾斜面を形成してもよい。
また、アーム部材に戸当り材２１０が当接した際に、アーム部材が第２方向にスライドできない場合は、扉１００を完全に閉めることができないため、利用者がアーム部材を回転許容位置に移動させる必要があるが、自動的にアーム部材２０にフックボルト５０が係合してしまう不具合は未然に防止できる。
【符号の説明】
【００５３】
１…ドアガード装置、２、２Ａ…ドアガード、３…台座、４、４Ａ…回動規制装置、５…ドアガード受具、２０、２０Ａ…アーム部材、２５…係合溝、２６…スライド溝、２７…係合突部、２９…突起、３０、３０Ａ…台座、３２…支持壁部、３３…軸部材、３７…突起、３８…案内溝、３９…規制面、５０…フックボルト、５１…ボルト本体、５２…ヘッド部、６０…フックベース、６５…ロック解除ボタン、１００…扉、１０１…屋内面、２００…ドア枠、２１０…戸当り材、２７１…傾斜面、２７２…規制面。
【図１】
2018059365.tif 000003
【図２】
2018059365.tif 000004
【図３】
2018059365.tif 000005
【図４】
2018059365.tif 000006
【図５】
2018059365.tif 000007
【図６】
2018059365.tif 000008
【図７】
2018059365.tif 000009
【図８】
2018059365.tif 000010
【図９】
2018059365.tif 000011